(57)【要約】【課題】開口部周りからの漏水を回避しながら、施工の容易化を図ることが可能となるような建物の換気・採光システム及び建物の外壁ユニットを提供する。【解決手段】折板１１からなる外壁により屋内と屋外とが仕切られる建物に用いられるもので、折板１１の一部として、屋内の空気を屋外に強制的に吐き出し或いは屋外の空気を屋内に強制的に吸い込むための有孔折板１１ａ、及び、屋外からの採光を取り込むための透明素材の折板１１ｂのうち、少なくともいずれか一方を含む建物の換気・採光システム１である。【選択図】　図１
2004100374.tif 000002
【特許請求の範囲】
【請求項１】
折板からなる外壁により屋内と屋外とが仕切られる建物に用いられる換気採光構造であって、
前記折板の一部として、前記屋内の空気を前記屋外に強制的に吐き出し或いは該屋外の空気を該屋内に強制的に吸い込むための有孔折板、及び、前記屋外からの採光を取り込むための透明素材の折板のうち、少なくともいずれか一方を含むことを特徴とする、
建物の換気採光構造。
【請求項２】
前記折板としての前記有孔折板を含む場合において、
前記有孔折板を前記屋内側から囲い込むように設けられるダクトと、
前記屋外の空気を前記有孔折板に設けられる孔及び前記ダクトを通じて前記屋内に強制的に吸い込む或いは吐き出す吸込排出装置と、を含むことを特徴とする、
請求項１に記載の建物の換気採光構造。
【請求項３】
折板からなる外壁により屋内と屋外とが仕切られる建物に用いられる外壁ユニットであって、
前記屋内の空気を前記屋外に強制的に吐き出し該屋外の空気を該屋内に強制的に吸い込むための有孔折板及び前記屋外からの採光を取り込むための透明素材の折板の少なくともいずれか一方を含む複数の前記折板をフレーム部材を用いて一体化してなることを特徴とする、
建物の外壁ユニット。
【発明の詳細な説明】
【０００１】
【発明の属する技術分野】
本発明は、金属折板、角波、金属スレートその他の折板からなる外壁により屋内と屋外とが仕切られる建物に用いられる建物の換気採光構造及び建物の外壁ユニットに関する。
【０００２】
【従来の技術】
従来の建物の換気採光構造としては、例えば屋内の空気を屋外に強制的に吐き出し、屋外の空気を屋内に強制的に吸い込むためのガラリ、ガラリを屋内側から囲い込むように設けられるダクト並びに屋外の空気をガラリ及びダクトを通じて屋内に強制的に吸い込む吸込装置と、屋外からの採光を取り込むための開口部としてのサッシュとから構成されるものが開示されている（例えば、特許文献１参照）。
【０００３】
【特許文献１】
特開２００２−１７４００５号公報（例えば、図８参照）
【０００４】
このような建物の換気システムによれば、一方では、ガラリ、ダクト及び吸込装置により結露やカビの発生、建物の早期劣化などを防止できる効果が得られ、他方では、開口部により用途に応じた明るさを確保できる効果が得られる。
【０００５】
【発明が解決しようとする課題】
しかしながら、このような建物の換気採光構造では、折板とガラリやサッシュとの取り合い構造が不可避的に非常に複雑化してしまうことから、施工の煩雑化を招くとともに、ガラリ等開口部周りからの漏水処理が実際上相当に困難であり、それゆえ、施工コストの増加を招いてしまうという問題がある。
【０００６】
そこで、本発明の課題は、施工コストの低減効果が十分に得られるように、開口部周りからの漏水を回避しながら、施工の容易化を図ることが可能となるような建物の換気採光構造及び建物の外壁ユニットを提供することにある。
【０００７】
【課題を解決するための手段】
すなわち、本発明は、第一発明と、第二発明とを含むものとして構成されている。第一発明は、建物の換気採光構造に係るものであり、第二発明は、建物の外壁ユニットに係るものである。
【０００８】
第一発明に係る建物の換気採光構造は、折板からなる外壁により屋内と屋外とが仕切られる建物に用いられるものである。
そして、これは、折板の一部として、屋内の空気を屋外に強制的に吐き出し或いは屋外の空気を屋内に強制的に吸い込むための有孔折板、及び、屋外からの採光を取り込むための透明素材の折板のうち、少なくともいずれか一方を含むものとして構成されている。
【０００９】
ここで、有孔折板は、折板の一部として含まれるものとして構成されており、屋内の空気を屋外に強制的に吐き出し屋外の空気を屋内に強制的に吸い込むためのものとして構成されている。透明素材の折板は、折板の一部として含まれるものであり、屋外からの採光を取り込むためのものとして構成されている。
【００１０】
このような第一発明に係る建物の換気採光構造によれば、強制換気のための有孔折板及び採光のための透明素材の折板の少なくともいずれか一方を含むものとして構成されているので、開口部周りからの漏水を回避しながら、施工の容易化を図ることが可能となる。
【００１１】
したがって、これによれば、施工コストの低減効果が十分に得られることが可能となる。
【００１２】
このような第一発明に係る建物の換気採光構造が折板としての有孔折板を含む場合において、機械的・電気的な強制換気手段を利用することとして、より確実に結露やカビの発生、建物の早期劣化などを防止しようとする観点からすれば、ダクトと、吸込排出装置とを含むことが好ましい。
【００１３】
ここで、ダクトは、有孔折板を屋内側から囲い込むように設けられるものである。そして、吸込装置は、屋外の空気を有孔折板に設けられる孔及びダクトを通じて屋内に強制的に吸い込む或いは吐き出す機能を果たすものである。
【００１４】
一方、第二発明に係る建物の外壁ユニットは、折板からなる外壁により屋内と屋外とが仕切られる建物に用いられるものである。
【００１５】
そして、これは、屋内の空気を屋外に強制的に吐き出し屋外の空気を屋内に強制的に吸い込むための有孔折板及び屋外からの採光を取り込むための透明素材の折板の少なくともいずれか一方を含む複数の折板をフレーム部材を用いて一体化してなるものとして構成されている。
【００１６】
このような第二発明に係る建物の外壁ユニットによれば、強制換気のための有孔折板及び採光のための透明素材の折板の少なくともいずれか一方を含む外壁が一体化されたユニットとして構成されているので、仮設足場の省略を図りながら、施工の容易化を図ることが可能となり、しかも、開口部周りからの漏水を回避することも可能となる。
【００１７】
したがって、これによれば、施工コストの低減効果が十分に得られることが可能となる。
【００１８】
【発明の実施の形態】
以下、添付図面に基づいて本発明の実施の形態を詳細に説明する。
【００１９】
なお、ここでは、建物の換気採光構造、建物の外壁ユニット又は建物の換気・採光方法が有孔折板及び透明素材の折板の双方を含む場合について説明するが、これに限られるものではなく、有孔折板及び透明素材の折板のいずれか一方を含む場合でも、以下の説明が妥当する。
【００２０】
［建物の換気採光構造及び建物の外壁ユニット］
図１は本発明の一実施の形態に係る建物の換気採光構造又は建物の外壁ユニットの全体構成を示す図（図１（ａ）は正面図、図１（ｂ）は平断面図、図１（ｃ）は縦断面図）、図２は該建物の換気採光構造又は建物の外壁ユニットの部分構成を示す図（図２（ａ）は折板を示す斜視図、図２（ｂ）は断熱材を示す斜視図、図２（ｃ）はフレーム部材を示す斜視図）、図３は該建物の換気採光構造又は建物の外壁ユニットの部分構成を示す図（図３（ａ）は隣接するユニット同士の一般接合部を示す平断面図、図３（ｂ）は換気部を兼ねたユニット同士の接合部を示す平断面図）である。
【００２１】
本実施の形態において、建物の換気採光構造１は、図１に示すように、折板１１からなる外壁により屋内と屋外とが仕切られる建物に用いられるものとして構成されている。
【００２２】
具体的には、この建物の換気採光構造１は、同図に示すように、有孔折板１１ａと、透明素材の折板１１ｂと、ダクト１２及び吸込排出装置としてのファン（図示外）とを含むものとして構成されている。
以下、これらの各構成要素についてさらに詳細に説明する。
【００２３】
（１）有孔折板１１ａ
有孔折板１１ａは、図１に示すように、折板１１の一部として含まれるものとして構成されている。
【００２４】
そして、この有孔折板１１ａは、屋内の空気を屋外に強制的に吐き出すとともに、屋外の空気を屋内に強制的に吸い込むために用いられるものとして構成されている。
【００２５】
つまり、このような有孔折板１１ａによれば、従来の建物の換気採光構造１におけるガラリと同様、結露やカビの発生、建物の早期劣化などを防止することが可能となっている。
【００２６】
（２）透明素材の折板１１ｂ
透明素材の折板１１ｂは、図１に示すように、折板１１の一部として含まれるものとして構成されている。
【００２７】
そして、この透明素材の折板１１ｂは、屋外からの採光を取り込むために用いられるものとして構成されている。
【００２８】
ここで、透明素材の折板１１ｂには、完全に曇りが存在しない透明さの完全透明素材のみならず、多少の曇りが残る透明さの不完全（半）透明素材のものを含む。
【００２９】
つまり、このような透明素材の折板１１ｂによれば、従来の建物の換気採光構造１におけるサッシュによる開口部と同様、素材の透明の程度を適宜可変させることで、用途に応じた明るさを確保することが可能となっている。
【００３０】
なお、上下に配置された折板１１，１１の接続部１３は、上方の折板１１の裏側に下方の折板１１の上部が重なるようにして構成されており、接続部１３からの水の浸入が防止されている。
【００３１】
（３）ダクト１２・ファン
ダクト１２は、図１に示すように、本実施の形態に係る建物の換気採光構造１が折板１１としての有孔折板１１ａを含む場合に用いられるものとして構成されている。そして、このダクト１２は、同図に示すように、有孔折板１１ａを屋内側から囲い込むように設けられるものとして構成されている。
【００３２】
なお、ダクト１２には、同図に示すような竪ダクト１２ａと横引きダクト１２ｂとがあり、竪ダクト１２ａと横引きダクト１２ｂはチャンバー１２ｃを介して接続されている。このうち、竪ダクト１２ａの下部には、防水のための底面１２ｄが形成されており、建物の床スラブを貫通した排水パイプ３１が接続されることにより、有孔折板１１ａに設けられる孔からの浸入水を排除することが可能となっている。一方、横引きダクト１２ｂには、図示しないが、吸込排出装置としてのファンが接続されている。
【００３３】
一方、ファンは、屋外の空気を有孔折板１１ａに設けられる孔とダクト１２を通じて屋内に強制的に吸い込む機能を果たすとともに、屋内の空気を有孔折板１１ａに設けられる孔とダクト１２を通じて屋外に強制的に吐き出す機能を果たすものとして構成されている。
【００３４】
つまり、このようなダクト１２及びファンによれば、機械的・電気的な強制換気手段を利用することが可能となっており、これにより、より確実に結露やカビの発生、建物の早期劣化などを防止することが可能となっている。
【００３５】
上記したように、本実施の形態に係る建物の換気採光構造１は、図１に示すように、強制換気のために用いられる有孔折板１１ａと採光のために用いられる透明素材の折板１１ｂの双方を含むものとして構成されており、しかも、これらはいずれも折板１１の一部として含まれるものとして構成されている。
【００３６】
それゆえ、このような建物の換気採光構造１によれば、開口部周りからの漏水を回避しながら、施工の容易化を図ることが可能となっている。
【００３７】
ところで、このような換気採光構造が適用された建物の外壁は、図１及び図２に示すように、一体化された建物の外壁ユニット２として構成されている。
【００３８】
すなわち、このような建物の外壁ユニット２は、図２に示すように、屋内の空気を屋外に強制的に吐き出すとともに屋外の空気を屋内に強制的に吸い込むために用いられる有孔折板１１ａと屋外からの採光を取り込むために用いられる透明素材の折板１１ｂの双方を含む複数の折板１１の背面に、折板１１に対応する形状を呈する断熱材２１を取り付け、この折板１１を鉄骨フレーム２２に取り付けることにより一体化している。
【００３９】
なお、折板１１の有孔折板１１ａと透明素材の折板１１ｂの位置は限定されるものではなく、施工条件に対応させて適宜に変更される。本実施形態では、有孔折板１１ａと透明素材の折板１１ｂの位置が、左右対称で異なる２種類のユニットを交互に配置し、図３（ｂ）に示すように、各ユニットの有孔折板１１ａ同士が隣接する接続部には、ダクト１２が設けられることにより換気部を構成し、図３（ａ）に示すように、各ユニットの通常の折板１１同士が隣接する接続部は一般接合部を構成している。
【００４０】
それゆえ、このような建物の外壁ユニット２によれば、仮設足場の省略を図りながら、施工の容易化を図ることが可能となっており、しかも、開口部周りからの漏水を回避することも可能となっている。
【００４１】
したがって、本実施の形態に係る建物の換気採光構造１及び建物の外壁ユニット２によれば、施工コストの低減効果が十分に得られることが可能となっている。
【００４２】
［建物の換気・採光方法］
本実施の形態における建物の換気・採光方法は、上記したような建物の換気採光構造１及び建物の外壁ユニット２を用いて行うものであり、換気工程及び採光工程の各工程を含むものとして構成されている。以下、図１及び図２を参照にしながら、これらの各工程について説明する。
【００４３】
（１）換気工程
これは、折板１１の一部として含まれる有孔折板１１ａを用いて、屋内の空気を屋外に強制的に吐き出すとともに、屋外の空気を屋内に強制的に吸い込む工程である。
【００４４】
（２）採光工程
これは、折板１１の一部として含まれる透明素材の折板１１ｂを用いて、屋外からの採光を取り込む工程である。
【００４５】
すなわち、このような建物の換気・採光方法によれば、折板１１の一部としての有孔折板１１ａを用いて行う換気工程及び折板１１の一部としての透明素材の折板１１ｂを用いて行う採光工程の双方を含むものとして構成されているので、開口部周りからの漏水を回避しながら、施工の容易化を図ることが可能となる。
【００４６】
したがって、これによれば、施工コストの低減効果が十分に得られることが可能となる。
【００４７】
【発明の効果】
本発明に係る建物の換気採光構造及び建物の外壁ユニットによれば、施工コストの低減効果が十分に得られることとなる。
【図面の簡単な説明】
【図１】本発明の一実施の形態に係る建物の換気採光構造又は建物の外壁ユニットの全体構成を示す図（図１（ａ）は正面図、図１（ｂ）は平断面図、図１（ｃ）は縦断面図）である。
【図２】本発明の一実施の形態に係る建物の換気採光構造又は建物の外壁ユニットの部分構成を示す図（図２（ａ）は折板を示す斜視図、図２（ｂ）は断熱材を示す斜視図、図２（ｃ）はフレーム部材を示す斜視図）である。
【図３】本発明の一実施の形態に係る建物の換気採光構造又は建物の外壁ユニットの部分構成を示す図（図３（ａ）は隣接するユニット同士の一般接合部を示す平断面図、図３（ｂ）は換気部を兼ねたユニット同士の接合部を示す平断面図）である。
【符号の説明】
１　建物の換気採光構造
２　建物の外壁ユニット
１１　折板
１１ａ　有孔折板
１１ｂ　透明素材の折板
１２　ダクト
１２ａ　竪ダクト
１２ｂ　横引きダクト
１２ｃ　チャンバー
２２　鉄骨フレーム
【図１】
2004100374.tif 000003
【図２】
2004100374.tif 000004
【図３】
2004100374.tif 000005